Podtech/llm-jp-corpus-v4-ja_patent huggingface dataset:
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
哺乳類におけるＢ細胞数を低減するための組成物であって、配列番号２６の配列を含むポリペプチドを含むＢＬｙＳアンタゴニストおよび抗ＣＤ２０剤を含んで成る、組成物。
【請求項２】
ＢＬｙＳアンタゴニストおよび抗ＣＤ２０剤が相乗的に作用してＢ細胞レベルを低減する、請求項１記載の組成物。
【請求項３】
低減されるＢ細胞レベルがメモリーＢ細胞の数である、請求項２記載の組成物。
【請求項４】
前記抗ＣＤ２０剤が、リツキサン（登録商標）、オクレリズマブ、オファツムマブ、ＴＲＵ−０１５およびＤＸＬ６２５からなる群から選択される、請求項１記載の組成物。
【請求項５】
Ｂ細胞調節性自己免疫障害を軽減するための組成物であって、治療的有効量の、配列番号２６の配列を含むポリペプチドを含むＢＬｙＳアンタゴニストおよび抗ＣＤ２０剤を含んで成る、組成物。
【請求項６】
前記抗ＣＤ２０剤が、リツキサン（登録商標）、オクレリズマブ、オファツムマブ、ＴＲＵ−０１５およびＤＸＬ６２５からなる群から選択される、請求項５記載の組成物。
【請求項７】
前記抗ＣＤ２０剤がリツキサン（登録商標）である、請求項６記載の組成物。
【請求項８】
ＢＬｙＳアンタゴニストおよび抗ＣＤ２０剤が相乗的に作用してＢ細胞レベルを低減する、請求項５記載の組成物。
【請求項９】
低減されるＢ細胞レベルがメモリーＢ細胞の数である請求項８記載の組成物。
【請求項１０】
前記自己免疫疾患が関節リウマチ、若年性関節リウマチ、全身性紅斑性狼瘡（ＳＬＥ）、狼瘡性腎炎（ＬＮ）、ウェーゲナー病、炎症性腸疾患、特発性血小板減少性紫斑病（ＩＴＰ）、血栓性血小板減少性紫斑病（ＴＴＰ）、自己免疫性血小板減少症、多発性硬化症、乾癬、ＩｇＡ腎症、ＩｇＭ多発性神経炎、重症筋無力症、血管炎、真性糖尿病、レーノー症候群、シェーグレン症候群および糸球体腎炎からなる群から選択される、請求項５記載の組成物。
【請求項１１】
前記自己免疫疾患が全身性紅斑性狼瘡（ＳＬＥ）である、請求項１０記載の組成物。
【請求項１２】
前記抗ＣＤ２０剤がリツキサン（登録商標）である、請求項１１記載の組成物。
【請求項１３】
ＢＬｙＳアンタゴニストが約1〜約25 mg/kgの用量で含有され、抗ＣＤ２０が約1〜約25 mg/kgの用量で含有される、請求項６記載の組成物。
【請求項１４】
ＢＬｙＳアンタゴニストが約20 mg/kgの用量で含有され、抗ＣＤ２０が約20 mg/kgの用量で含有される、請求項１３記載の組成物。
【請求項１５】
シクロホスファミド（ＣＹＣ）、アザチオプリン（ＡＺＡ）、シクロスポリンＡ（ＣＳＡ）、ミコフェノール酸モフェチル（ＭＭＦ）、非ステロイド性抗炎症薬（ＮＳＡＩＤ）、糖質コルチコイド、プレドニソンおよび疾患修飾性抗リウマチ薬（ＤＭＡＲＤ）からなる群から選択される免疫抑制薬をさらに含んで成る、請求項６記載の組成物。
【請求項１６】
配列番号２６の配列を含むポリペプチドを含むＢＬｙＳアンタゴニストおよび抗ＣＤ２０剤を含む、組成物。
【請求項１７】
前記抗ＣＤ２０剤がリツキサン（登録商標）である、請求項１６記載の組成物。
【請求項１８】
配列番号２６の配列を含むポリペプチドを含むＢＬｙＳアンタゴニストおよび抗ＣＤ２０剤、ならびにラベルを含む製品であって、ここで該ラベルは、該組成物がＢ細胞調節性自己免疫障害の治療用であることを示す、製品。
【請求項１９】
前記抗ＣＤ２０剤がリツキサン（登録商標）である、請求項１８記載の製品。
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
身体器官の組織壁によって形成される内腔内の流体および／または他の身体物質の流れを制御する装置であって、
前記組織壁の少なくとも一部分を緩やかに締めつけて、前記内腔内の流れに影響を与える移植可能な狭さくデバイスと、
前記組織壁の壁部分を刺激する刺激デバイスと、
前記刺激デバイスを制御して前記壁部分を刺激する制御デバイスと
を備え、
前記狭さくデバイスが前記壁部分を狭さくすると、前記壁部分により前記内腔内の流れにさらに影響が与えられる、流れを制御する装置。
【請求項２】
前記狭さくデバイスが、少なくとも前記内腔内の流れの制限のために前記壁部分を狭するのに適した構成され、前記制御デバイスが、狭さくされた壁部分に収縮が生じるように前記刺激デバイスを制御し、少なくとも前記内腔内の流れを制限する、請求項１記載の装置。
【請求項３】
狭さくデバイスは締めつけられた壁部分の血行が実質的に無制限であり、細胞内腔の流れが少なくとも制限される押えられた状態に壁部分を締めつけるのに適し、制御装置は刺激デバイスを壁部分の収縮が生じるために制御し、その結果、壁部分が押えられた状態の狭さくデバイスのそばに置いておかれるときに、細胞内腔の流れは少なくとも更に制限される、請求項２に記載の装置。
【請求項４】
制御装置は、狭さくデバイスを患者の壁部分の狭さくを調整するために制御する、請求項１に記載の装置。
【請求項５】
制御装置は、互いに独立に狭さくおよび刺激デバイスを制御する、請求項４に記載の装置。
【請求項６】
制御装置は、同時に狭さくデバイスおよび刺激デバイスを制御する、請求項５に記載の装置。
【請求項７】
制御装置は刺激デバイスを壁部分を刺激するために制御し、その一方で、制御装置は狭さくデバイスを壁部分の狭さくを変えるために制御する、請求項４に記載の装置。
【請求項８】
狭さくデバイスを細胞内腔の流れの所望の制限まで壁部分の狭さくを調整するために制御することが得られると共に、制御装置は刺激デバイスを壁部分を刺激するために制御することによって狭さくデバイスを調整するのに適している、請求項４に記載の装置。
【請求項９】
制御装置が狭さくデバイスを壁部分の狭さくを変えるために制御すると共に、制御装置は刺激デバイスを壁部分を刺激しないために制御する、請求項４に記載の装置。
【請求項１０】
制御装置は狭さくデバイスを壁部分を締めつけるために制御し、そうすると、lumenisの流れは制限したが、止まらなくて、刺激デバイスを締めつけられた壁部分を励ましてその収縮が生じるようにするために制御し、そうすると、細胞内腔の流れは更に制限されるが、止められない、請求項４に記載の装置。
【請求項１１】
制御装置は、刺激デバイスを患者の検出された物理パラメータに応答して壁部分の刺激の輝度を調整するために制御する、請求項１０に記載の装置。
【請求項１２】
制御装置は、刺激デバイスを装置の検出された関数パラメタに応答して壁部分の刺激の輝度を調整するために制御する、請求項１０に記載の装置。
【請求項１３】
制御装置は、第一モードの刺激デバイスを更に制限する締めつけられた壁部分を刺激するが、細胞内腔の流れを止めないために制御して、第二モードの刺激デバイスを細胞内腔の流れを増加させるために壁部分の刺激をやめるために制御する、請求項１０に記載の装置。
【請求項１４】
第二モードの制御装置は、刺激デバイスを壁部分の刺激をやめるために制御して、狭さくデバイスを細胞内腔の流れを回復するために壁部分をリリースするために制御する、請求項１３に記載の装置。
【請求項１５】
前記制御装置は前記狭さくデバイスを壁部分を締めつけるために制御し、そうすると、細胞内腔の流れは制限されるが、止められなくて、前記刺激デバイスを締めつけられた壁部分を励ましてその収縮が生じるようにするために制御され、細胞内腔の流れは止められる、請求項４に記載の装置。
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
哺乳類患者の尿閉を膀胱からの尿を排出によって処理する装置であって：
膀胱から尿を排出させるために、膀胱の選択部分に外側から力を付与する植込み型動力部材(00)と、
前記動力部材の動作を制御する制御デバイス(200）と
を備える、尿閉を処理する装置。
【請求項２】
前記力が支持構造に対して部分的に少なくとも動作する、請求項１に記載の装置。
【請求項３】
前記支持構造が、骨盤、陰部骨または仙骨または脊髄などの骨、または、腹膜、腹部であるか骨盤壁または尿膀胱自体などの人間の組織に対しての支持となる、請求項２に記載の装置。
【請求項４】
制御デバイスが、装置の動力部材および他のエネルギーを消費している部分を作動するためのエネルギー源を含む、請求項１に記載の装置。
【請求項５】
前記制御デバイスが、腹部または骨盤領域の少なくとも部分的に皮下あって、植設されるのに適している、請求項４に記載の装置。
【請求項６】
前記制御デバイスが、少なくとも2つのパーツから成り、両方とも皮下に挿入されるのに適した制御組立体から成っており、前記制御組立体は、腹腔に植設されるときに、相互接続される、請求項４または５に記載の装置。
【請求項７】
動力部材が膀胱の表層一部に接触するのに適した接触部(120)を含む、請求項１に記載の装置。
【請求項８】
動力部材が、接触部に結合している少なくとも一つの操作可能な加圧器(140）を含み、加圧器が膀胱の圧縮および拡張に寄与するよう動作する、請求項７に記載の装置。
【請求項９】
動力部材が圧縮または膀胱の発散を提供するために油圧で作動される請求項７に記載の装置。
【請求項１０】
動力部材が圧縮または膀胱の発散を提供するために機械的に作動される、に請求項７に記載の装置。
【請求項１１】
加圧器（140）が動作装置（144）から動力部材の接触部分まで伸びている少なくとも一つの可動腕（142）から成る、請求項８に記載の装置。
【請求項１２】
動作装置（144）が膀胱から尿を排出するために膀胱の方へ可動腕を移動させるのに適している、請求項１１に記載の装置。
【請求項１３】
動作装置が人間の組織に固定する(144)である請求項１１に記載の装置。
【請求項１４】
動作装置が恥骨に固定に適している請求項1１１記載の装置。
【請求項１５】
動作装置（144）が、可動腕を動かすのに適しているモータを含む、請求項１１または１２に記載の装置。
【請求項１６】
加圧器が作動液のための貯蔵部から成り、接触部が油圧で貯蔵部に接続している拡張可能な空腔から成る、請求項９に記載の装置。
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
患者の卵管を術後に制限および解放するように構成された制限デバイスを備え、
前記制限デバイスは卵管を制御することで卵巣から放出された少なくとも１つの卵を卵管内に蓄積することを特徴とする、哺乳類のメスまたはヒトの女性の患者の妊娠を回避するシステム。
【請求項２】
前記制限デバイスは、前記患者の卵管を制限および解放するための調整を体外からできるように構成され、前記制限デバイスは妊娠が可能でないとき、制限を中断し解放するように構成されることを特徴とする請求項１に記載のシステム。
【請求項３】
前記制限デバイスは、手動操作、電力、磁力あるいは油圧の動力手段によって調整されるように構成されることを特徴とする請求項１または２に記載のシステム。
【請求項４】
前記油圧力は、前記患者によって制御され、且つ皮下に移植可能な、少なくとも１つのリザーバを有することを特徴とする請求項３に記載のシステム。
【請求項５】
前記制限デバイスは、前記卵巣から放出された少なくとも１つの卵を所定の期間にわたって卵管内に蓄積するために前記卵管を制限し、前記患者にとって妊娠を回避するのに好都合なときに制限を中断し、前記所定の期間は妊娠を回避するように構成され、
前記所定の期間は２日から３０日の間であることを特徴とする請求項１乃至４のいずれかに記載のシステム。
【請求項６】
前記制限デバイスは、前記卵管の異なる複数の場所で制限を行うように構成された少なくとも２つの制限領域を備え、前記制限デバイスは、前記卵管の制限を１つの制限領域から次の制限領域に徐々に変更するように構成されることを特徴とする請求項１乃至５のいずれかに記載のシステム。
【請求項７】
油圧制限デバイスは、
前記卵管の異なる複数の場所で卵管を制限するための少なくとも２つの制限領域と、
前記油圧制限デバイスに油圧式に結合された、油圧リザーバと前記油圧制限デバイスの間に油圧油の流体を分散させるための油圧リザーバと、
前記制限デバイスの各制限領域から、あるいは前記制限デバイスの各領域に向かって前記油圧油の流体を送り、前記各制限領域を個々に制限または解放するように操作可能な少なくとも１つの弁と、
を備えることを特徴とする請求項６に記載のシステム。
【請求項８】
前記制限デバイス内の異なる制限領域には、それぞれ２つ以上の油圧リザーバが個別に連結され、前記油圧制限デバイスは油圧式に前記油圧リザーバに連結され、前記油圧リザーバは、前記制限デバイス内の前記各制限領域に向かって、或いは前記各制限領域から油圧油の流体を個々に移動させ、前記卵管の異なる複数の場所で前記卵管を個々に制限または解放するように構成されることを特徴とする、請求項６に記載のシステム。
【請求項９】
前記油圧制限デバイスの複数の油圧制限領域は、各間がある程度重複するように所定の期間にわたって制限されるように構成され、また、前記卵巣に最も近い油圧制限領域から子宮に向かって前記卵管の油圧制限領域が変更されるよう前記油圧制限デバイスの前記油圧制限領域は構成されることを特徴とする、請求項７または８に記載のシステム。
【請求項１０】
油圧制限デバイスと機械制限デバイスとを組合せた２つ以上の制限領域を有する刺激デバイスをさらに備え、前記油圧制限デバイスまたは前記機械制限デバイスは卵管を部分的にのみ制限し、前記刺激デバイスは前記卵管壁を刺激して、前記卵管壁を収縮させ前記卵管を完全に閉鎖するように構成されることを特徴とする請求項１乃至９のいずれかに記載のシステム。
【請求項１１】
前記制限デバイス内のある１つの制限領域が卵管を制限しようとする際、前記卵管内の卵を前記卵管の外に移動させるため、機械的に操作する移動デバイスをさらに備え、前記機械的に操作する移動デバイスは卵管壁で振動または波動状の運動を生じさせ、それにより卵を移動させるように構成されることを特徴とする、請求項６乃至１０のいずれかに記載のシステム。
【請求項１２】
前記患者の体外から操作可能な、前記制限デバイスを制御するための制御デバイスをさらに備え、前記制御デバイスは前記患者の体に移植されるように構成された内部制御ユニットを備え、前記内部制御ユニットが前記制限デバイスを制御することを特徴とする請求項１乃至１１のいずれかに記載のシステム。
【請求項１３】
前記制限デバイスに電力を供給するための、移植可能な内部エネルギー源と、前記内部エネルギー源に無線エネルギーを伝送するための伝送デバイスとをさらに備え、前記内部エネルギー源は無線エネルギーにより電力充填が可能であり、前記内部エネルギー源は前記患者の体外から、
-  無線リモート・コントロール、または、
ー  前記患者の体内に移植可能で、前記患者の体外から調整可能なスイッチ
により制御されることを特徴とする請求項１乃至１２のいずれかに記載のシステム。
【請求項１４】
前記システムの機能パラメータまたは前記患者の物理的パラメータに関するフィードバックを与えるため、前記患者の体内から体外へとフィードバック情報を送信するように構成されたフィードバックデバイスをさらに備え、少なくとも１つの前記システムの機能パラメータは前記内部エネルギー源に電力を充填するためのエネルギー伝送と相関することを特徴等する請求項１乃至１３のいずれかに記載のシステム。
【請求項１５】
エネルギーを伝送する間に、前記制限デバイスに電力を供給する無線エネルギー伝送用の無線エネルギーの伝送デバイスをさらに備えることを特徴とする請求項１乃至１２のいずれかに記載のシステム。
【請求項１６】
前記制限デバイスは、機械的制限デバイス、油圧式の制限デバイス、刺激デバイス、あるいは機械的制限デバイスと油圧式の制限デバイスを組合せたものであることを特徴とする請求項１乃至１５に記載のシステム。
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
女性患者の輸卵管の精子の流れを制御する装置であって：
子宮管壁の少なくとも一つの部分に適用される移植可能な流れ影響デバイスおよび流れ影響デバイスを輸卵管壁部分の精子の流れに影響するために制御するための制御装置。
【請求項２】
流れ影響デバイスは輸卵管壁部分を刺激するための刺激デバイスから成る、そして、制御装置は刺激デバイスを輸卵管壁部分を刺激するために制御し、輸卵管壁部分の収縮に輸卵管の精子の流れに影響させる請求項１に記載の装置。
【請求項３】
流れ影響デバイスは子宮管壁の壁部分を締めつけるための狭さくデバイスから成る、そして、制御装置は狭さくデバイスを輸卵管壁部分を締めつけるために制御し、輸卵管壁部分の収縮に輸卵管の精子の流れに影響させる請求項１に記載の装置。
【請求項４】
流れ影響デバイスは輸卵管壁部分の精子の流れに影響するために穏やかに輸卵管壁部分の少なくとも一つの部分を締めつけるための移植可能な狭さくデバイスから成る、そして、狭さくデバイスが輸卵管壁部分を締めつけるにつれて、輸卵管壁部分および制御装置を刺激するための刺激デバイスは刺激デバイスを輸卵管壁部分を励まして輸卵管壁部分の収縮に更に輸卵管の精子の流れに影響させるようにするために制御する請求項１に記載の装置。
【請求項５】
狭さくデバイスを患者の壁部分の狭さくを調整するために制御する請求項４に記載の装置。
【請求項６】
互いに独立に狭さくおよび刺激デバイスを制御する請求項５に記載の装置。
【請求項７】
刺激デバイスを壁部分を刺激するために制御し、一方で、狭さくデバイスを壁部分の狭さくを変えるために制御する請求項５に記載の装置。
【請求項８】
狭さくデバイスを輸卵管の流れの所望の影響まで壁部分の狭さくを調整するために制御することが得られると共に、制御装置は刺激デバイスを壁部分を刺激するために制御することによって狭さくデバイスを調整するのに適している請求項５に記載の装置。
【請求項９】
制御装置が狭さくデバイスを壁部分の狭さくを変えるために制御すると共に、制御装置は刺激デバイスを壁部分を刺激しないために制御する請求項５に記載の装置。
【請求項１０】
制御装置は狭さくデバイスを壁部分を締めつけるために制御し、輸卵管の流れは制限されるが、止められなくて、刺激デバイスを締めつけられた壁部分を励ましてその収縮が生じるようにするために制御し、そうすると、輸卵管の流れは更に制限されるが、止められない請求項５に記載の装置。
【請求項１１】
制御装置は、刺激デバイスを患者の検出された物理パラメータに応答して壁部分の刺激の輝度を調整するために制御する請求項１０に記載の装置。
【請求項１２】
制御装置は、刺激デバイスを装置の検出された関数パラメタに応答して壁部分の刺激の輝度を調整するために制御する請求項１０に記載の装置。
【請求項１３】
制御装置は、第一モードの刺激デバイスを更に制限する締めつけられた壁部分を刺激するが、輸卵管の流れを止めないために制御して、第二モードの刺激デバイスを輸卵管の流れを増加させるために壁部分の刺激をやめるために制御する請求項１０に記載の装置。
【請求項１４】
第二モードの制御装置は、刺激デバイスを壁部分の刺激をやめるために制御して、狭さくデバイスを輸卵管の流れを回復するために壁部分をリリースするために制御する請求項13に記載の装置。
【請求項１５】
制御装置は狭さくデバイスを壁部分を締めつけるために制御し、輸卵管の流れは制限されるが、止められなくて、刺激デバイスを締めつけられた壁部分を励ましてその収縮が生じるようにするために制御され、輸卵管の流れは止められる請求項５に記載の装置。
【請求項１６】
制御装置は、第一モードの刺激デバイスを締めつけられた壁部分を励まして輸卵管の流れを止めるようにするために制御して、第二モードの刺激デバイスを輸卵管の流れを許容するために壁部分の刺激をやめるために制御する請求項１５に記載の装置。
【請求項１７】
第二モードの制御装置は、刺激デバイスを壁部分の刺激をやめるために制御して、狭さくデバイスを輸卵管の流れを回復するために壁部分をリリースするために制御する請求項１６に記載の装置。
【請求項１８】
制御装置は、刺激デバイスを患者の検出された物理パラメータに応答して壁部分の刺激の輝度を調整するために制御する請求項１５に記載の装置。
【請求項１９】
制御装置は、刺激デバイスを装置の検出された関数パラメタに応答して壁部分の刺激の輝度を調整するために制御する請求項１５に記載の装置。
【請求項２０】
制御装置は刺激デバイスを壁部分の刺激の輝度を増加させるために制御し、、圧力上昇が輸卵管で起こるときに、輸卵管の流れは止められるままである請求項１８に記載の装置。
【請求項２１】
輸卵管の圧力に関する患者のボディの物理パラメータを検出するためのセンサから更に成り、制御装置は、センサから信号に応答して刺激デバイスを制御する請求項２０に記載の装置。
【請求項２２】
物理パラメータは患者のボディの圧力である、そして、センサはプレッシャセンサである請求項２１に記載の装置。
【請求項２３】
制御装置は狭さくデバイスを壁部分を締めつけるために制御し、輸卵管の流れは実質的に止められて、刺激デバイスを締めつけられた壁部分を励ましてその収縮が生じるようにするために制御し、輸卵管の流れは完全に止められる請求項５に記載の装置。
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
腸の通路に関連した障害を有する患者を治療する装置であって、
腸の内容物を腸の通路を通してポンプ輸送するために、腸の少なくとも一つの選択された部分に手術可能な植込み用ポンプを備え、前記ポンプは、交互に狭さくと解放とを少なくとも選択された部分に対して行って、腸の選択された部分の通路量を、狭さくにより実質的に減らし、そして解放により実質的に増加させる狭さくデバイスを含み、腸の内容物が腸の通路を通して移動させられる、
ことを特徴とする装置。
【請求項２】
前記ポンプを制御して、前記狭さくデバイスの作動で、選択された部分を交互に狭さくおよび解放させるための制御装置を備え、腸の内容物が腸の通路を通して移動させられる、請求項１に記載の装置。
【請求項３】
前記制御装置が患者によって動作させ得る請求項２に記載の装置。
【請求項４】
前記制御装置は無線の遠隔制御装置を含む、請求項２に記載の装置。
【請求項５】
患者の腸は、外科的に処置された自然のまたは人工のストマで終端し、前記ポンプは腸の内容物を前記ストマから排出させるのに適している、請求項１に記載の装置。
【請求項６】
患者の腸は、前記選択された部分は、患者の肛門で終端し、前記ポンプは腸の内容物を前記肛門から排出させるのに適している、請求項１に記載の装置。
【請求項７】
前記係合デバイスは、前記ポンプに係合でき、且つ、前記ポンプを患者の腹腔に関連した組織に係合させる係合デバイスを含む、請求項１に記載の装置。
【請求項８】
前記係合デバイスは、前記ポンプを患者の腹壁に係合するのに適している請求項７に記載の装置。
【請求項９】
腸の選択された部分を少なくとも部分的にカバーする、弾力的な保護チューブを備え、前記狭さくデバイスは、前記保護チューブおよび選択された部分を狭さくさせる、請求項１に記載の装置。
【請求項１０】
前記狭さくデバイスは、腸の選択された部分を、それの狭さくの際に支持する埋込み可能なサポートを含む、請求項１に記載の装置。
【請求項１１】
前記狭さくデバイスは、組織または患者のボディの骨に対して選択された部分を狭さくするのに適している請求項１に記載の装置。
【請求項１２】
腸の選択された部分の筋肉または神経組織に電気的に刺激的を与え、選択された部分の部分的な収縮を生じさせる、刺激デバイスを備える、請求項１に記載の装置。
【請求項１３】
前記刺激デバイスには、少なくとも一つの電極が設けられて、電気的パルスで、腸の組織の選択された部分の筋肉または神経組織に刺激を与えるように構成されている、請求項１２に記載の装置。
【請求項１４】
前記刺激デバイスに、前記狭さくデバイスとは別にまたは共用で、複数の電極が設けられている、請求項１２に記載の装置。
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
電気生理学電極であって、該電気生理学電極は、
遠位端を規定する管状の側壁と、
該管状の側壁の該遠位端に関連づけられた遠位壁と、
該管状の側壁の該遠位端に隣接した複数の表面不連続部分と
を備え、該管状の側壁、該遠位壁および該表面不連続部分は、電気的に伝導性の材料からそれぞれ形成される、電気生理学電極。
【請求項２】
前記複数の表面不連続部分は、複数の部分的に球状のくぼみを含む、請求項１に記載の電気生理学電極。
【請求項３】
前記複数の表面不連続部分は、前記管状の側壁上にある、請求項１に記載の電気生理学電極。
【請求項４】
前記複数の表面不連続部分は、端の壁上にある、請求項１に記載の電気生理学電極。
【請求項５】
前記複数の表面不連続部分は、前記管状の側壁上と端の壁上にある、請求項１に記載の電気生理学電極。
【請求項６】
前記管状の側壁と前記遠位壁との間に配置された湾曲した表面をさらに備え、前記複数の表面不連続部分は、該湾曲した表面上にある、請求項１に記載の電気生理学電極。
【請求項７】
前記遠位壁は、前記電気生理学電極の前記遠位端を規定し、
前記表面不連続部分は、該電気生理学電極の該遠位端から１ｍｍ以内に配置される、請求項１に記載の電気生理学電極。
【請求項８】
前記複数の表面不連続部分は、第一の密度を有する第一のグループと、該第一の密度より大きい第二の密度を有する第二のグループとに配列される、請求項１に記載の電気生理学電極。
【請求項９】
前記第二のグループは、前記第一のグループと前記管状の側壁の前記長手方向の端との間に配置される、請求項８に記載の電気生理学電極。
【請求項１０】
前記管状の側壁の中に複数の流体開口部をさらに備えている、請求項１に記載の電気生理学電極。
【請求項１１】
前記管状の側壁は、環状の断面を規定する、請求項１に記載の電気生理学電極。
【請求項１２】
前記遠位壁は、少なくとも実質的に平坦であり、該遠位壁を通して延びる開口部を有しない、請求項１に記載の電気生理学電極。
【請求項１３】
前記管状の側壁と前記少なくとも実質的に平坦な遠位壁との間に配置された湾曲した表面をさらに備えている、請求項１に記載の電気生理学電極。
【請求項１４】
遠位端を規定するカテーテルと、
請求項１〜１３のいずれか１項に記載され、該カテーテルの遠位端によって保持される電気生理学電極と
を備えている、電気生理学装置。
【手続補正２】
【補正対象書類名】明細書
【補正対象項目名】０００７
【補正方法】変更
【補正の内容】
【０００７】
添付の図面と関連して考慮されるとき、以下の詳細な説明を参照して本発明がより良く理解されるので、上記の説明ならびに本発明の多くの他の特徴および付随する利点は、明白となる。
例えば、本発明は以下の項目を提供する。
（項目１）
電気生理学電極であって、該電気生理学電極は、
遠位端を規定し、少なくとも一つの流体開口部を含む管状の側壁と、
少なくとも実質的に平坦な遠位壁であって、該遠位壁は、該遠位壁を通って延びる開口部がなく、該管状の側壁の該遠位端に関連づけられた、少なくとも実質的に平坦な遠位壁と
を備えている、電気生理学電極。
（項目２）
上記少なくとも一つの流体開口部は、複数の流体開口部を含む、項目１に記載の電気生理学電極。
（項目３）
上記管状の側壁は、環状の断面を規定する、項目１に記載の電気生理学電極。
（項目４）
上記管状の側壁と上記少なくとも実質的に平坦な遠位壁とは、一緒に遠位コーナーを規定する、項目１に記載の電気生理学電極。
（項目５）
上記遠位コーナーに隣接した複数の表面不連続部分をさらに備えている、項目４に記載の電気生理学電極。
（項目６）
上記複数の表面不連続部分は、上記側壁および／または上記少なくとも実質的に平坦な遠位壁に関連づけられている、項目５に記載の電気生理学電極。
（項目７）
上記複数の表面不連続部分は、複数の部分的に球状のくぼみを含む、項目５に記載の電気生理学電極。
（項目８）
上記管状の側壁と上記少なくとも実質的に平坦な遠位壁との間に配置された湾曲した表面をさらに備えている、項目１に記載の電気生理学電極。
（項目９）
上記湾曲した表面に関連づけられた複数の表面不連続部分をさらに含む、項目８に記載の電気生理学電極。
（項目１０）
上記複数の表面不連続部分は、複数の部分的に球状のくぼみを含む、項目９に記載の電気生理学電極。
（項目１１）
上記少なくとも実質的に平坦な遠位壁は、平らな遠位壁を含む、項目１に記載の電気生理学電極。
（項目１２）
電気生理学電極であって、該電気生理学電極は、
遠位端を規定する管状の側壁と、
該管状の側壁の該遠位端に関連づけられた遠位壁と、
該管状の側壁の該遠位端に隣接した複数の表面不連続部分と
を備えている、電気生理学電極。
（項目１３）
上記複数の表面不連続部分は、複数の部分的に球状のくぼみを含む、項目１２に記載の電気生理学電極。
（項目１４）
上記複数の表面不連続部分は、上記管状の側壁上にある、項目１２に記載の電気生理学電極。
（項目１５）
上記複数の表面不連続部分は、上記端の壁上にある、項目１２に記載の電気生理学電極。
（項目１６）
上記複数の表面不連続部分は、上記管状の側壁上と上記端の壁上にある、項目１２に記載の電気生理学電極。
（項目１７）
上記管状の側壁と上記遠位壁との間に配置された湾曲した表面をさらに備え、上記複数の表面不連続部分は、該湾曲した表面上にある、項目１２に記載の電気生理学電極。
（項目１８）
上記遠位壁は、上記電気生理学電極の上記遠位端を規定し、
上記表面不連続部分は、該電気生理学電極の該遠位端から１ｍｍ以内に配置される、項目１２に記載の電気生理学電極。
（項目１９）
上記複数の表面不連続部分は、第一の密度を有する第一のグループと、該第一の密度より大きい第二の密度を有する第二のグループとに配列される、項目１２に記載の電気生理学電極。
（項目２０）
上記第二のグループは、上記第一のグループと上記管状の側壁の上記長手方向の端との間に配置される、項目１９に記載の電気生理学電極。
（項目２１）
上記管状の側壁の中に複数の流体開口部をさらに備えている、項目１２に記載の電気生理学電極。
（項目２２）
軟らかい組織と共に使用する電気生理学電極であって、該電気生理学電極は、
遠位端を規定する管状の側壁と、
該管状の側壁の該遠位端に関連づけられた遠位壁であって、該遠位壁は、中心領域と該中心領域の周りに延びる外周とを規定する、遠位壁と
該管状の側壁および／または該遠位壁に関連づけられた手段であって、該手段は、電流が該電気生理学電極を通って、該電気生理学電極に接触している軟らかい組織に流れるとき、該遠位壁の該中心領域に隣接した軟らかい組織ではなく、該遠位壁の該外周に隣接した軟らかい組織の中により高い電流密度を作る、手段と
を備えている、電気生理学電極。
（項目２３）
上記管状の側壁に複数の流体開口部をさらに備えている、項目２２に記載の電気生理学電極。
（項目２４）
遠位端を規定する管状の部材と、
項目１〜２３のいずれか１項に記載され、該管状の部材の該遠位端によって保持される電気生理学電極と
を備えている、電気生理学装置。
【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
（ａ）ハーネスと、
（ｂ）マスク本体であって、
（ｉ）フィルタ構造体と、
（ｉｉ）プラスチック製支持構造体と、
（ｉｉｉ）該プラスチック製支持構造体をその周囲に成型して該プラスチック製支持構造体に固定されるようにしたノーズクリップと、を有するマスク本体と、を備えた、濾過フェイスピースレスピレータにして、
前記プラスチック製支持構造体は、開口部を画定する第１及び第２の収束部材を含む鼻部分を有し、
前記ノーズクリップは、前記開口部を横切って延在する、濾過フェイスピースレスピレータ。
【請求項２】
（ａ）ノーズクリップを提供する工程と、
（ｂ）該ノーズクリップの少なくとも一部の周辺にプラスチック製支持構造体をインサート成型する工程と、
（ｃ）該プラスチック製支持構造体にフィルタ構造体を接合する工程と、を有する、濾過フェイスピースレスピレータのマスク本体の製造方法。
【請求項３】
前記プラスチック製支持構造体が、前記ノーズクリップの端部の周りに射出成形される、請求項２記載の製造方法。
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
混合物を眼内に注射するために注入装置を準備する方法であって、
前記混合物と投薬チャンバ容器とが室温付近にあるときに、前記混合物を前記混合物と投薬チャンバ容器内面との間に空隙を有するようにして投薬チャンバ内に供給し、
前記投薬チャンバ容器と混合物とを、前記混合物が膨張してより液体状となる、室温付近以外の温度範囲とし、
前記混合物の膨張後かつ前記装置を注射に用いる前に、針内部の空気と前記混合物とが眼内に注射可能なように前記針の内部に空気を保持し、
特定の薬物放出速度に対応する特定の表面積を有するように予め決定されて、注射の際に形成される、前記混合物のボーラス形状に基づいて、薬物放出速度を選択し、
前記選択された薬物放出速度をもたらす表面積を有する形状を形成し得るように、前記注入装置を前記混合物の注射が可能な状態に維持する、
ことを特徴とする注入装置の準備方法。
【請求項２】
前記供給される混合物は、親油性化合物と医薬との混合物である、ことを特徴とする請求項１に記載の注入装置の準備方法。
【請求項３】
さらに、前記選択された薬物放出速度をもたらす表面積を有する形状を形成するためにプランジャの駆動速度を選択する、ことを特徴とする請求項１に記載の注入装置の準備方法。
【請求項４】
前記プランジャの駆動速度は、毎分１５−３６ｃｍの速度とされる、ことを特徴とする請求項３に記載の注入装置の準備方法。
【請求項５】
前記プランジャの駆動速度は、使用中、眼内に略球形状のボーラスが沈着するように毎分約２０ｃｍの速度とされる、ことを特徴とする請求項３に記載の注入装置の準備方法。
【請求項６】
前記注入装置は、２５ゲージ以下の針を備える、ことを特徴とする請求項１に記載の注入装置の準備方法。
【請求項７】
前記混合物と投薬チャンバ容器とを前記混合物が膨張してより液体状となる温度範囲に加熱する工程において、さらに、前記投薬チャンバ容器と混合物とをおよそ摂氏７５度に加熱する、ことを特徴とする請求項１に記載の注入装置の準備方法。
【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
生体内の血管、管または管腔から閉塞物質の堆積物を除去するフレキシブルカテーテルシステムであって、
回転螺旋吸引ポンプを備え、前記回転螺旋吸引ポンプは螺旋ワイヤ、コアおよびカテーテルジャケットを備え、前記カテーテルジャケットは前記螺旋ワイヤを囲むものであり、前記螺旋ワイヤは螺旋配置で前記コアに巻き付けられ、さらに、前記螺旋ワイヤは螺旋回転動力源によって駆動されて、前記コアとは独立に作動するフレキシブルカテーテルシステム。
【請求項２】
前記螺旋ワイヤが前記螺旋回転動力源によって駆動されたとき、前記コアは回転しないように構成される請求項１に記載のフレキシブルカテーテルシステム。
【請求項３】
前記コアは、前記螺旋ワイヤの前記作動と同じ方向に回転するように構成される請求項１に記載のフレキシブルカテーテルシステム。
【請求項４】
前記コアは、前記螺旋ワイヤの前記作動と反対方向に回転するように構成される請求項１に記載のフレキシブルカテーテルシステム。
【請求項５】
前記コアを回転させるコア回転動力源は、前記螺旋回転動力源とは独立している請求項４に記載のフレキシブルカテーテルシステム。
【請求項６】
前記コアの独立した回転は、フレキシブルカテーテルシステムの遠位端および作業ヘッドを変位させて、閉塞物質の除去を改善する作用を有する請求項４に記載のフレキシブルカテーテルシステム。
【請求項７】
前記コアは、中空であり、また、注入ポンプから、血管、管または管腔への注入流体の送出を可能にするように構成される請求項１に記載のフレキシブルカテーテルシステム。
【請求項８】
前記注入ポンプは、前記螺旋ワイヤと前記コアのいずれかとは独立に作動するように構成される請求項７に記載のフレキシブルカテーテルシステム。
【請求項９】
ガイドワイヤ追従手段をさらに備える請求項１に記載のフレキシブルカテーテルシステム。
【請求項１０】
遠位保護をさらに備える請求項１に記載のフレキシブルカテーテルシステム。
【請求項１１】
線維性物質のフレキシブルコンベヤーであって、
コイルワイヤと、当該コイルワイヤとは独立して回転するように配置された中心コアとを備える螺旋コンベヤーを備え、前記螺旋コンベヤーは、ジャケット内で回転するように構成され、前記螺旋コンベヤーが回転する際に線維性物質が詰るのを防止すべく、前記螺旋コンベヤーは、ロータ直径の５０％程度の大きさのクリアランスを前記ジャケット内に有するフレキシブルコンベヤー。
【請求項１２】
前記螺旋コンベヤーは、前記クリアランスによる漏洩を克服するために、十分に高速で回転するように構成される請求項１１に記載のフレキシブルコンベヤー。
【請求項１３】
生体内の血管、管または管腔から閉塞物質の堆積物を除去するフレキシブルカテーテルシステムであって、螺旋コイルを収容するカテーテルジャケットを備えるカテーテルと、少なくとも前記螺旋コイルをコアワイヤとは独立して回転させるように構成された回転動力源とを備え、ガイドワイヤおよびガイドワイヤ追従手段をさらに備え、前記カテーテルジャケットの遠位領域は、前記螺旋コイルが作動している間、前記ガイドワイヤから横方向に変位するように構成されるフレキシブルカテーテルシステム。
【請求項１４】
前記カテーテルは、近位領域、遠位領域および前記近位領域と前記遠位領域との間に延在するハウジングとを備え、前記ハウジングは、前記吸引カテーテルジャケットを備え、かつ、前記遠位領域の入口領域および前記近位領域の出口領域を有する管腔を画定し、さらに、前記ガイドワイヤ追従手段は、前記カテーテルの前記遠位領域における少なくとも２つの離間した点で前記ガイドワイヤに隣接して前記カテーテルを保持し、前記螺旋コイル内で前記カテーテルジャケットの長さに沿って延在する中心コア管をなおさらに備え、前記中心コア管は、前記螺旋コイルに直接結合されない請求項１３に記載のフレキシブルカテーテルシステム。
【請求項１５】
前記回転動力源は、可変速度パターンで作動する請求項１４に記載のフレキシブルカテーテルシステム。
【請求項１６】
前記螺旋コイルは、螺旋ピッチの異なる複数のゾーンを備える請求項１４に記載のフレキシブルカテーテルシステム。
【請求項１７】
前記中心コア管は、中実のワイヤまたはフィラメントである請求項１４に記載のフレキシブルカテーテルシステム。
【請求項１８】
前記回転動力源は、可変速度パターンで作動する請求項１に記載のフレキシブルカテーテルシステム。
【請求項１９】
前記螺旋ワイヤは、螺旋ピッチの異なる複数のゾーンを備える請求項１に記載のフレキシブルカテーテルシステム。
【請求項２０】
生体内の血管、管または管腔から閉塞物質の堆積物を除去するフレキシブルカテーテルシステムであって、回転螺旋吸引ポンプを備え、前記回転螺旋吸引ポンプは、螺旋ワイヤ、コアおよびカテーテルジャケットを備え、前記カテーテルジャケットは前記螺旋ワイヤを囲み、前記螺旋ワイヤは、螺旋配置で前記コアに巻き付けられ、さらに、前記螺旋ワイヤは、螺旋回転動力源によって駆動されて前記コアとは独立して回転し、さらに、前記回転動力源は、可変速度パターンで作動するフレキシブルカテーテルシステム。
【請求項２１】
注入物の補助なしで、生体内の血管、管または管腔から閉塞物質の堆積物を除去するフレキシブルカテーテルシステムであって、回転螺旋吸引ポンプを備え、前記回転螺旋吸引ポンプは、螺旋ワイヤ、コアおよびカテーテルジャケットを備え、前記カテーテルジャケットは前記螺旋ワイヤを囲み、前記螺旋ワイヤは、螺旋配置で前記コアに巻き付けられ、前記コアと独立に回転することができ、前記螺旋ワイヤは、回転動力源によって駆動されるフレキシブルカテーテルシステム。
【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
被験体の皮膚を通して物質を送達することを促進するための装置であって、
当該装置は、
皮膚準備器具を有し、かつ、
パッチ組立体を有し、該パッチ組立体は、該物質を有し、かつ、該皮膚準備器具に磁気的に連結され得るものである、
前記装置。
【請求項２】
皮膚準備器具が、皮膚を除去するように構成された１以上の電極を有する、請求項１記載の装置。
【請求項３】
パッチ組立体が、第１部分を有し、かつ、該第１部分に折り畳み可能に連結された第２部分を有する、請求項１〜２のいずれか１項記載の装置。
【請求項４】
第１部分が、フレームを有し、該フレームは、パッチ組立体の開口部分を少なくとも部分的に取り囲むものであって、該第１部分が皮膚上に置かれたときに、該開口部分を通して皮膚の領域が露出するようになっており、かつ、
第２部分が、該物質を有するパッドを有し、該パッドは、開口部分を通して皮膚の該領域の少なくとも一部と接触するように構成されている、
請求項３記載の装置。
【請求項５】
さらに、パッチ組立体に連結された１以上のパッチ磁石を有し、該１以上のパッチ磁石は、パッチ組立体が皮膚準備器具に一致するように合わせられた場合に、該パッチ組立体を該皮膚準備器具に連結するように構成されている、
請求項１〜２のいずれか１項記載の装置。
【請求項６】
皮膚準備器具が磁性材料を有し、かつ、１以上のパッチ磁石が、該磁性材料によって、パッチ組立体を皮膚準備器具に磁気的に連結するように構成されている、請求項５記載の装置。
【請求項７】
皮膚準備器具の末端部が、１以上の器具磁石を有し、かつ、１以上のパッチ磁石が、該器具磁石によって、パッチ組立体を皮膚準備器具に連結するように構成されている、請求項５記載の装置。
【請求項８】
パッチ組立体が皮膚準備器具と一致するように合わせられていない場合には該パッチ組立体を該皮膚準備器具に連結させないように、パッチ磁石が構成されている、請求項５記載の装置。
【請求項９】
パッチ組立体が、開口部分を取り囲むフレームを有し、
皮膚準備器具の末端部が開口部分の近傍に置かれた場合には、該パッチ組立体を皮膚準備器具に連結させるように、パッチ磁石が構成され、かつ、
皮膚準備器具の末端部が、該開口部分を通って挿入されるように構成されている、
請求項５記載の装置。
【請求項１０】
パッチ組立体が、長辺と短辺とを有する長方形部分を有し、
皮膚準備器具の末端部が、長辺と短辺とを有する長方形であり、かつ、
皮膚準備器具の末端部の長辺がパッチ組立体の長方形部分の長辺と一致するように合わせられた場合に、パッチ組立体を皮膚準備器具に連結するように、パッチ磁石が構成されている、
請求項５記載の装置。
【請求項１１】
皮膚準備器具の末端部の長辺がパッチ組立体の長方形部分の長辺と一致するように合わせられていない場合には該パッチ組立体を該皮膚準備器具に連結させないように、パッチ磁石が構成されている、請求項１０記載の装置。
【請求項１２】
１以上のパッチ磁石が、４つの磁石を有し、かつ、該４つの磁石の各々は、パッチ組立体の長方形部分のそれぞれの角部に連結されている、請求項１０記載の装置。
【請求項１３】
皮膚準備器具の末端部の長辺が、第１の方向を向いて、パッチ組立体の長方形部分の長辺と一致するように合わせられた場合に、パッチ組立体を皮膚準備器具に連結するように、パッチ磁石が構成され、かつ、
皮膚準備器具の末端部の長辺が、第１の方向とは反対である第２の方向を向いて、パッチ組立体の長方形部分の長辺と一致するように合わせられた場合には、パッチ組立体を皮膚準備器具に連結させないように、該磁石が構成されている、請求項１０記載の装置。
【請求項１４】
皮膚準備器具が皮膚準備処置の際に皮膚に当てられる間に、パッチ組立体に磁気的に連結されるように、皮膚準備器具が構成されている、請求項１〜２のいずれか１項記載の装置。
【請求項１５】
皮膚準備器具が、皮膚にパッチ組立体を接着するように構成されている、請求項１４記載の装置。
【請求項１６】
皮膚準備処置にひき続いて、皮膚準備器具が皮膚から取り外されることによって、該皮膚準備器具が、
皮膚に接着されたパッチ組立体の第１部分を残すように、かつ、
第１部分から、パッチ組立体の第２部分を取り外すように
構成されている、請求項１５記載の装置。
【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
リアルタイムでヒトまたは動物にてグルコースをモニターリングするための装置であって、
時系列のグルコースレベルの測定値を提供するセンサーであり、前記測定値が前記ヒトまたは動物の一部における前記グルコースの推論レベルを示すセンサーと、
以下の段階、すなわち、
第1のグルコース調節システムモデルを用いて、前記測定グルコースレベルから前記推論グルコースレベルの第1の推定値を算出する段階と、
第2のグルコース調節システムモデルを用いて、前記測定グルコースレベルから前記推論グルコースレベルの第2の推定値を算出する段階であり、前記第2のシステムモデルが前記第1のシステムモデルの変形形態である段階と、
第1および第2の推定値の組合せに基づく、推論グルコースレベルの組み合わされた推定値を予測する段階と
を行うように適合されるプロセッサーと
を備える装置。
【請求項２】
プロセッサーが、前記グルコースレベルを正確に予測する前記モデルそれぞれにおける、それぞれの確率を表す関連する混合確率に従って各推定値を重み付けすることによって、組み合わされた推定値を算出するように適合され、場合により、プロセッサーが、前記モデルそれぞれにおける、それぞれの前記予測グルコースレベル測定値と前記センサーから得られた前記グルコースレベル測定値との間の差に反応して前記混合確率を更新するようにさらに適合される、請求項1に記載の装置。
【請求項３】
プロセッサーが、状態推定器であり、かつそれぞれのモデルの状態ベクトルを定義するように適合され、状態ベクトルが、関連する不確かさをそれぞれ有する変数セットを含み、変数セットが、グルコースレベルの未解明の変化を表す変数を含み、各モデルが前記グルコースレベルの未解明の変化における異なる標準偏差を有する、請求項1または2に記載の装置。
【請求項４】
グルコース調節モデルが前記ヒトまたは動物の血液中のグルコース動態のサブモデルおよび細胞間のグルコース動態のサブモデルを含み、前記推論グルコースレベルが前記血液中の前記グルコースレベルを含み、前記グルコースレベル測定値が細胞間のグルコースレベルの測定値を含む、請求項1から3のいずれか一項に記載の装置。
【請求項５】
プロセッサーが、相互作用多重モデル戦略をグルコース調節モデルに適用してグルコースレベル測定値から推論グルコースレベルの組み合わされた推定値を予測するように適合される、請求項１から４のいずれか一項に記載の装置。
【請求項６】
使用者からの入力を受け取るため、および/または装置の状態を表示するためのユーザーモニターをさらに備え、及び／または、組み合わされた推定値または組み合わされた将来のグルコースレベルの推定値が、プリセットされた低血糖閾値に満たないまたはプリセットされた高血糖閾値を超えるときに作動されるリアルタイムアラームをさらに備える、請求項1から5のいずれか一項に記載の装置。
【請求項７】
ヒトまたは動物におけるグルコースのリアルタイム制御のための装置であって、
請求項1から6のいずれか一項に記載のリアルタイムモニターリング用装置と、
プロセッサーからのコマンドに応答して使用者に指定量の薬剤を送達するディスペンサーと
を備え、
プロセッサーは、前記指定量の薬剤を、推論グルコースレベル測定値の組み合わされた推定値を所望の値と一致させるのに必要な薬剤の量として算出するように適合され、所望のグルコース値が、場合により、値の軌道を定義するように経時的に変化し得る、装置。
【請求項８】
第1のシステムモデルを用いて、薬剤の前記指定量の第1の推定値を算出する段階と、
第2のシステムモデルを用いて、薬剤の前記指定量の第2の推定値を算出する段階と、
第1および第2の推定値の組合せに基づく、薬剤の前記指定量の組み合わされた推定値を算出する段階と
を行うことにより、プロセッサーが、リアルタイムモニターリング用の装置で使用されたモデルを用いて、前記指定量を算出するように適合される、請求項7に記載の装置。
【請求項９】
ヒトまたは動物の体内でグルコースを制御する装置であって、
請求項1から6のいずれか一項に記載のリアルタイムモニターリング用の装置と、
適用される推奨インスリンボーラスを表示するためのユーザーインターフェースと
を備え、
推奨インスリンボーラスが、組み合わされた推定値を所望のグルコース値と一致させるのに必要な薬剤の量としてプロセッサーによって算出され、かつ所望のグルコース値が、場合により、値の軌道を定義するように経時的に変化し得る、装置。
【請求項１０】
プロセッサーが、必要とされる薬剤の量を決定するために、相互作用多重モデル戦略をグルコース調節モデルに適用する、請求項6から9のいずれか一項に記載の装置。
【請求項１１】
生きているヒトまたは動物におけるリアルタイムグルコースモニターリングの方法であって、
センサーから時系列のグルコースレベル測定値を入力する段階であり、前記グルコースレベル測定値が前記ヒトまたは動物の一部において前記グルコースの推論レベルを示す段階と、
第1のグルコース調節システムモデルを用いて、前記測定物質レベルから前記推論グルコースレベルの第1の推定値を算出する段階と、
第2のグルコース調節システムモデルを用いて、前記測定グルコースレベルから前記推論グルコースレベルの第2の推定値を算出する段階であり、前記第2のシステムモデルは前記第1のシステムモデルの変形形態である段階と、
第1および第2の推定値の組合せに基づく、推論グルコースレベルの組み合わされた推定値を予測する段階と
を含む方法。
【請求項１２】
各推定値が、複数の推定値を組み合わせるとき、前記グルコースレベルを正確に予測する前記モデルそれぞれにおける、それぞれの確率を表す混合確率に従って重み付けされ、場合により、前記モデルそれぞれにおける、それぞれの前記予測グルコースレベル測定値と、前記センサーから得られた前記グルコースレベル測定値との間の差に反応して前記混合確率を更新する段階を含み、場合により、モデル確率から混合確率を決定する段階とを含む、請求項11に記載の方法。
【請求項１３】
グルコース調節モデルが、前記ヒトまたは動物の血液中のグルコース動態のサブモデルおよび細胞間のグルコース動態のサブモデルを含み、前記推論物質レベルが前記血液中の前記グルコースレベルを含み、前記物質レベル測定値が細胞間のグルコースレベルの測定値を含み、かつ前記グルコース調節モデルが、インスリン吸収のサブモデル、インスリン作用のサブモデルおよび腸管吸収のサブモデルをさらに含んでもよい、請求項10から12のいずれか一項に記載の方法。
【請求項１４】
相互作用多重モデル戦略をシステムモデルに適用して、推論グルコースレベルについての複数の推定値を提供する段階と、
複数の推定値を組み合わせて、前記推論物質レベルの組み合わされた推定値を得る段階と
を含む、請求項10から13のいずれか一項に記載の方法。
【請求項１５】
作動の際に、請求項10から14のいずれか一項に記載の方法を実行するコンピュータプログラムコードを保持する担体。
【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
歯の歯間エリアをクリーニングする装置であって、
液滴のソースと、
前記歯に向かって前記液滴を推進させるためのガスのソースと、
前記液滴を前記歯の歯間エリアに指向するためのノズル及びガイダンスティップとを有し、
前記ガイダンスティップは、液滴が衝突歯間表面に対して十分な角度で指向され歯間の生物膜上に液滴衝突ずれ応力を生成するように、更に、液膜が歯間表面上に生成されるように形成され、
前記ガスのソースからのガスは、歯間生物膜上に液膜ずれ応力を生成するように前記液膜を推進させ、
前記液滴衝突ずれ応力と前記液膜ずれ応力との組み合わせは、実質的に歯間表面全体の生物膜を除去するために必要とされるずれ応力と少なくとも同等であり、歯間表面上にクリーニング効果をもたらす、装置。
【請求項２】
前記歯間エリアの前部分でのずれ応力は、前記液滴の衝突により実質的に生成され、歯間空間の深さとともに減少し、
エア駆動された前記液膜により生成されたずれ応力は、前記歯間エリアの前記前部分で最小になり、前記歯間空間の深さとともに増大する、請求項１に記載の装置。
【請求項３】
前記ガスがエアである、請求項１に記載の装置。
【請求項４】
エアの１つのソースは、前記歯に対して前記液滴を加速させ、前記歯間表面に沿って前記液膜を推進させるために用いられる、請求項１に記載の装置。
【請求項５】
前記液滴が水である、請求項１に記載の装置。
【請求項６】
前記液滴は、水よりも高い粘性をもつ物質である、請求項１に記載の装置。
【請求項７】
前記液滴は、液滴のパルスを有する、請求項１に記載の装置。
【請求項８】
前記ガスは、パルスで流れる、請求項１に記載の装置。
【請求項９】
前記液滴及び／又は前記ガスは、０．１〜１００Ｈｚの範囲の周波数のパルスで流れる、請求項１に記載の装置。
【請求項１０】
前記ガスは、前記液滴を生成するために用いられる、請求項１に記載の装置。
【手続補正２】
【補正対象書類名】明細書
【補正対象項目名】０００４
【補正方法】変更
【補正の内容】
【０００４】
従って、ここでは、歯の歯間エリアをクリーニングするための装置であって、液滴のソースと、前記歯に向かって前記液滴を推進させるためのガスのソースと、前記液滴を前記歯の歯間エリアに指向するためのノズル及びガイダンスティップとを有し、前記ガイダンスティップは、液滴が衝突歯間表面に対して十分な角度で指向され歯間生物膜上に液滴衝突ずれ応力を生成するように、更に、液膜が前記歯間表面上に生成されるように形成され、前記ガスのソースからのガスは、歯間生物膜上に液膜ずれ応力を生成するために前記液膜を推進させ、前記液滴衝突ずれ応力と前記液膜ずれ応力との組み合わせは、少なくとも実質的に歯間表面全体の生物膜を除去するために必要とされるずれ応力と同等であり、歯間表面上にクリーニング効果をもたらす装置が開示されている。